(57)【要約】【課題】電子機器の電源投入時に出力される音声の出力レベルを周囲環境の変化に応じて最適化する。【解決手段】電子機器の音声出力レベルを調整する音量調整装置１は、電子機器の電源切断時の音声出力レベルを記憶する記憶部１２０と、電源切断時に電子機器の周囲における第１周囲照度レベルを検出して記憶する第１照度レベル検出部９０と、電源投入時に電子機器の周囲における第２周囲照度レベルを検出する第２照度レベル検出部９０と、を備え、第１周囲照度レベルと第２周囲照度レベルに基づいて設定される調整パラメータを用いて記憶部１２０に記憶されている音声出力レベルを調整し、電子機器の電源投入時における音声出力レベルとして設定する。【選択図】図１
2020123766.tif 000002
【特許請求の範囲】
【請求項１】
電子機器の音声出力レベルを調整する音量調整装置であって、
前記電子機器の電源切断時の音声出力レベルを記憶する第１記憶部と、
前記電子機器の電源切断時に前記電子機器の第１周囲照度レベルを検出して記憶する第１照度レベル検出部と、
前記電子機器の電源投入時に前記電子機器の第２周囲照度レベルを検出する第２照度レベル検出部と、
前記第１周囲照度レベルと前記第２周囲照度レベルに基づいて設定される調整パラメータを用いて前記第１記憶部に記憶されている前記音声出力レベルを調整し、前記電子機器の電源投入時における音声出力レベルとして設定する音量調整部と、
を備える音量調整装置。
【請求項２】
電源投入時点から所定時間内における音声出力レベルの変化量に基づいた補正パラメータを記憶する第２記憶部を有し、
前記音量調整部は、前記補正パラメータと前記第１周囲照度レベルと前記第２周囲照度レベルに基づいて設定される調整パラメータを用いて前記第１記憶部に記憶されている音声出力レベルを調整し、前記電子機器の電源投入時における音声出力レベルとして設定する、
ことを特徴とする請求項１記載の音量調整装置。
【請求項３】
時刻情報を取得する時刻情報取得部を有し、
前記音量調整部は、少なくとも電源投入時に取得される時刻情報に応じて前記調整パラメータを補正する、
ことを特徴とする請求項１または２記載の音量調整装置。
【請求項４】
電子機器の音声出力レベルを調整する音量調整装置における音量調整方法であって、
前記電子機器の電源切断時に前記電子機器の音声出力レベルを記憶するステップと、
前記電子機器の電源切断時に前記電子機器の第１周囲照度レベルを検出するステップと、
前記電子機器の電源投入時に前記電子機器の第２周囲照度レベルを検出するステップと、
前記第１周囲照度レベルと前記第２周囲照度レベルに基づいて設定される調整パラメータを用いて前記電子機器の電源切断時に記憶した音声出力レベルを調整し、前記電子機器の電源投入時における音声出力レベルとして設定するステップと、
を有する音量調整方法。
【請求項５】
電子機器の音声出力レベルを調整する音量調整装置に、
前記電子機器の電源切断時の音声出力レベルを記憶するステップと、
前記電子機器の電源切断時に前記電子機器の第１周囲照度レベルを検出するステップと、
前記電子機器の電源投入時に前記電子機器の第２周囲照度レベルを検出するステップと、
前記第１周囲照度レベルと前記第２周囲照度レベルに基づいて設定される調整パラメータを用いて前記電子機器の電源切断時に記憶した音声出力レベルを調整し、前記電子機器の電源投入時における音声出力レベルとして設定するステップと、
を実行させるためのプログラム。
【発明の詳細な説明】
【技術分野】
【０００１】
本発明は、音量調整装置、音量調整方法およびプログラムに関する。
【背景技術】
【０００２】
映像機器や音響機器などの電子機器の音量調整技術として、電源投入時に電子機器の周囲の環境照度を検出し、検出した環境照度に応じて音声出力レベルを調整する技術が知られている（例えば、特許文献１参照）。
【先行技術文献】
【特許文献】
【０００３】
【特許文献１】特開２００５−１１００４４号公報
【発明の概要】
【発明が解決しようとする課題】
【０００４】
従来の音量調整装置では、電子機器の周囲の環境照度に応じて、電子機器の電源投入時に出力される音声の出力レベルを自動的に調整することができる。しかし、電源投入時に検出された周囲の環境照度と対応付けられた音声出力レベルを一義的に設定しているため、電子機器の周囲環境の変化を考慮した調整はできていない。
【０００５】
本発明は、上記に鑑みてなされたものであり、電子機器の電源投入時に出力される音声の出力レベルを周囲環境の変化に応じて最適化することを目的とする。
【課題を解決するための手段】
【０００６】
上記課題を解決するための本発明に係る音量調整装置は、前記電子機器の電源切断時の音声出力レベルを記憶する第１記憶部と、前記電子機器の電源切断時に前記電子機器の第１周囲照度レベルを検出して記憶する第１照度レベル検出部と、前記電子機器の電源投入時に前記電子機器の第２周囲照度レベルを検出する第２照度レベル検出部と、前記第１照度レベルと前記第２照度レベルに基づいて設定される調整パラメータを用いて前記第１記憶部に記憶されている前記音声出力レベルを調整し、前記電子機器の電源投入時における音声出力レベルとして設定する音量調整部と、を備えることを特徴とする。
【０００７】
本発明に係る音量調整方法は、前記電子機器の電源切断時の音声出力レベルを記憶するステップと、前記電子機器の電源切断時に前記電子機器の第１周囲照度レベルを検出するステップと、前記電子機器の電源投入時に前記電子機器の第２周囲照度レベルを検出するステップと、前記第１照度レベルと前記第２照度レベルに基づいて設定される調整パラメータを用いて前記電子機器の電源切断時に記憶した音声出力レベルを調整し、前記電子機器の電源投入時における音声出力レベルとして設定するステップと、を有することを特徴とする。
【０００８】
本発明に係るプログラムは、前記電子機器の電源切断時の音声出力レベルを記憶するステップと、前記電子機器の電源切断時に前記電子機器の第１周囲照度レベルを検出するステップと、前記電子機器の電源投入時に前記電子機器の第２周囲照度レベルを検出するステップと、前記第１照度レベルと前記第２照度レベルに基づいて設定される調整パラメータを用いて前記電子機器の電源切断時に記憶した音声出力レベルを調整し、前記電子機器の電源投入時における音声出力レベルとして設定するステップと、を電子機器の音声出力レベルを調整する音量調整装置として動作するコンピュータに実行させることを特徴とする。
【発明の効果】
【０００９】
本発明によれば、電子機器の電源投入時における音声出力レベルを、電子機器の周囲環境の変化に応じて最適化することができる。
【図面の簡単な説明】
【００１０】
【図１】本発明の第１実施形態に係る音量調整装置の概略的な構成例を示すブロック図である。
【図２】本発明の第１実施形態に係る音量調整装置における音声調整処理の流れを示すフローチャートである。
【図３】本発明の第１実施形態に係る音量調整装置における電源投入処理の流れを示すフローチャートである。
【図４】本発明の第１実施形態に係る音量調整装置におけるボリューム調整処理の流れを示すフローチャートである。
【図５】本発明の第１実施形態に係る音量調整装置における電源切断処理の流れを示すフローチャートである。
【図６】本発明の第１実施形態の変形例に係る音量調整装置における電源投入処理の流れを示すフローチャートである。
【図７】本発明の第１実施形態の変形例に係る音量調整装置における電源投入処理の流れを示すフローチャートである。
【図８】本発明の第２実施形態に係る音量調整装置の概略的な構成例を示すブロック図である。
【図９】本発明の第２実施形態に係る音量調整装置における電源投入処理の流れを示すフローチャートである。
【図１０】本発明の第２実施形態に係る音量調整装置における電源投入処理の流れを示すフローチャートである。
【図１１】本発明の第２実施形態に係る音量調整装置における調整パラメータ算出のための参照テーブルの一例である。
【発明を実施するための形態】
【００１１】
以下に添付図面を参照して、本発明に係る音量調整装置、音量調整方法およびプログラムの実施形態を詳細に説明する。なお、以下の実施形態により本発明が限定されるものではない。
【００１２】
［実施形態１］
図１は、実施形態１にかかる音量調整装置の概略的な構成例を示すブロック図である。
【００１３】
音量調整装置１は、映像機器や音響機器などの電子機器に組み込まれて使用される。音量調整装置１は、音源１０から供給される音声信号の出力レベルを調整するボリューム２０と、ＤＡＣ（ＤｉｇｉｔａｌｔｏＡｎａｌｏｇＣｏｎｖｅｒｔｅｒ）３０と、パワーアンプ４０と、スピーカ５０と、フォトダイオード６０と、マイクアンプ７０と、ＡＤＣ（ＡｎａｌｏｇｔｏＤｉｇｉｔａｌＣｏｎｖｅｒｔｅｒ）８０と、音声出力レベル調整部９０と、入力部１１０と、記憶部１２０と、により構成される。
【００１４】
音源１０は、電子機器の音声信号を出力する出力部であり、音源１０から出力されるデジタル音声信号は、ボリューム２０に入力される。
【００１５】
ボリューム２０は、音源１０から供給されるデジタル音声信号の出力レベルを調整するための電子ボリュームであり、音声出力レベル調整部９０のボリュームコントローラ９４によって制御される。
【００１６】
ＤＡＣ３０は、音源１０からボリューム２０を介して供給されるデジタル音声信号をアナログ信号に変換してパワーアンプ４０に供給する。
【００１７】
パワーアンプ４０は、ＤＡＣ３０から供給されるアナログ音声信号を増幅し、スピーカ５０から音声を出力する。
【００１８】
フォトダイオード６０は、電子機器の周囲の照度を検出する検出器であり、フォトダイオード６０により検出された照度を示す周囲照度レベル信号は、増幅器７０により増幅され、ＡＤＣ８０に供給される。
【００１９】
ＡＤＣ８０は、増幅器７０から供給されるアナログ信号の周囲照度レベル信号をデジタル信号の周囲照度レベル信号に変換して、音声出力レベル調整部９０のＣＰＵ９２に供給する。
【００２０】
音声出力レベル調整部９０は、ＡＤＣ８０を介して供給される周囲照度レベル信号や入力部１１０から供給されるユーザーからの操作指示信号に基づいて、ボリューム２０から出力されるデジタル音声信号の出力レベルを調整する。
【００２１】
入力部１１０は、操作ボタンや操作キーを備え、電子機器の電源のオン・オフやボリュームのアップ・ダウンなどのユーザーによる操作指示を音声出力レベル調整部９０のＣＰＵ（ＣｅｎｔｒａｌＰｒｏｃｅｓｓｉｎｇＵｎｉｔ）９２に供給する。電源ボタンは、通常の電源ボタンの他に、本発明を実行するための専用ボタンを設けてもよいし、電源ボタンと他のボタンやスイッチとの組み合わせにより本発明を実行するようにしてもよい。本発明の実施を選択できるようにすることにより、音声出力レベルをユーザーの好みに合わせることが可能になる。また、入力部１０を赤外線の受光部やＷｉ−Ｆｉなどの無線通信の受信部により構成し、リモートコントローラ１３０からの操作指示を受け付けるようにしてもよい。
【００２２】
記憶部１２０は、音声出力レベル調整部９０で設定した音声出力レベルを調整するための調整パラメータやボリューム値などを記憶しておくためのメモリである。記憶部１２０は、例えば、ＲＡＭやフラッシュメモリなどの半導体メモリ素子、または、メモリカードなどの記憶媒体が用いられる。
【００２３】
ＣＰＵ９２は、電子機器の周囲における周囲照度レベルを検出する照度レベル検出部として機能し、ＡＤＣ８０から供給される周囲照度レベル信号を調整パラメータとして記憶部１２０に記憶する。また、ＣＰＵ９２は、電子機器の電源投入時に、ＡＤＣ８０から供給される周囲照度レベル信号（第２周囲照度レベル）と記憶部１２０に記憶されている周囲照度レベル情報（第１周囲照度レベル）に基づいて、音源１０から供給される音声信号の出力レベルを設定するためのボリューム値を決定する。決定したボリューム値は音声出力レベルとして記憶部１２０に記憶される。また、入力部１１０から供給されるユーザーからの操作指示により設定されるボリューム値も、設定された音声出力レベルとして記憶部１２０に記憶する。
【００２４】
ＣＰＵ９２は、決定したボリューム値あるいは入力部１１０から供給されるユーザーの操作指示に基づいて、ボリューム２０を制御するようにボリュームコントローラ９４に指示信号を出力する。
なお、ＣＰＵ９２は、音量調整装置１の専用ＣＰＵとして説明しているが、電子機器に搭載されるＣＰＵに兼用させてもよい。
【００２５】
ボリュームコントローラ９４は、ＣＰＵ９２からの指示信号に基づき、ボリューム２０を制御し、音源１０から供給される音声信号の出力レベルを設定する。
【００２６】
次に、図２乃至図５を用いて、電子機器の電源投入時における音声出力レベルの調整処理について詳細に説明する。電子機器の電源投入時における音声出力レベルの調整処理は、図１に示す音量調整装置１にて行われる。
【００２７】
図２に示すフローチャートは、電子機器の電源投入時から電源切断時までの間に、音量調整装置１において実行される音声出力レベルの調整処理の一例を示す基本フローチャートである。
【００２８】
入力部１１０あるいはリモートコントローラ１３０の電源ボタンが操作され、電子機器の電源が投入されると、音量調整装置１において電源投入処理が実行される（Ｓ１０１）。電源投入処理の詳細については後述する。
【００２９】
電源投入処理が終了すると、音量調整装置１では、ユーザーによる入力部１１０あるいはリモートコントローラ１３０の音量調整操作に基づき、ボリューム調整処理が実行される（Ｓ１０２）。ボリューム調整処理の詳細については後述する。
【００３０】
ボリューム調整処理が終了すると、ユーザーによる電源切断指示の受付けを確認する（Ｓ１０３）。より具体的には、入力部１１０あるいはリモートコントローラ１３０の操作を介してユーザーから電子機器の電源切断指示があったか否かを確認する。電源切断の指示を受付けた場合は（ステップＳ１０３でＹｅｓ）、ステップＳ１０４に移行する。一方、電源切断の指示を受付けていない場合は（ステップＳ１０３でＮｏ）、ステップＳ１０２に戻り、ボリューム調整処理を実行する。ステップ１０２のボリューム調整処理は、ステップ１０３で電子機器の電源切断指示を受付けるまで繰り返される。
【００３１】
電子機器の電源切断指示を受付けると（ステップＳ１０３でＹｅｓ）、音量調整装置１において電源切断処理が実行される（Ｓ１０４）。電源切断処理の詳細については後述する。
【００３２】
図３に示すフローチャートは、ステップＳ１０１の電源投入処理の詳細な流れの一例を示すフローチャートである。
【００３３】
ＣＰＵ９２は、入力部１１０あるいはリモートコントローラ１３０の電源ボタンの操作を介してユーザーから電子機器の電源投入指示がなされたか否かを監視する（Ｓ２０１）。電源投入の指示を受付けた場合は（ステップＳ２０１でＹｅｓ）、ステップＳ２０２に移行する。一方、電源投入の指示を受付けていない場合は（ステップＳ２０１でＮｏ）、電源投入の指示を受付けるまでステップ２０１をループする。つまり、電源投入指示の受付を待つ待機状態となる。
【００３４】
電子機器の電源投入指示を受付けると（ステップＳ２０１でＹｅｓ）、音量調整装置１において電源投入処理が開始される（Ｓ２０２）。
【００３５】
電源投入処理が開始されると、ＣＰＵ９２においてボリューム値制御が開始される（Ｓ２０３）。ボリューム値制御とは、音源１０から出力されるデジタル音声信号の出力レベルを設定するためのボリューム値ＶＰｏｎ（ＶｏｌｕｍｅＰｏｗｅｒｏｎ）を決定する処理である。
【００３６】
ボリューム値制御が開始されると、ＣＰＵ９２は、記憶部１２０から前回の電源切断時に記憶したボリューム値ＶＰｏｆｆ（ＶｏｌｕｍｅＰｏｗｅｒｏｆｆ）を読み出して取得する（Ｓ２０４）。ボリューム値ＶＰｏｆｆの取得後はステップ２０９に移行する。
【００３７】
一方、ステップＳ２０２で電源投入処理が開始されると、ステップＳ２０３のボリューム値制御と平行して、ＣＰＵ９２において周囲照度レベルの判定処理が開始される（Ｓ２０５）。周囲照度レベル判定処理とは、ＡＤＣ８０から供給される周囲照度レベル信号から電子機器の周囲の照度レベルを取得し、記憶部１２０に記憶されている周囲照度レベル情報とを比較する処理である。
【００３８】
周囲照度レベル判定処理が開始されると、フォトダイオード６０により検出される周囲照度が周囲照度信号として増幅器７０とＡＤＣ８０を介してＣＰＵ９２に入力される。
【００３９】
ＣＰＵ９２は、ＡＤＣ８０から入力される周囲照度信号から電子機器の周囲の照度レベルを示す周囲照度レベルＩＬｏｎ（ＩｌｌｕｍｉｎａｎｃｅＬｅｖｅｌｏｎ）を取得する（Ｓ２０６）。ＣＰＵ９２は、電子機器の電源投入時に、フォトダイオード６０が検出する周囲照度を周囲照度レベルとして取得してもよい。また、ＣＰＵ９２は、電子機器の電源投入時から所定時間に検出される周囲照度の平均レベルを周囲照度レベルとして取得してもよい。この場合、所定時間内に発生する一時的な周囲照度レベルの急激な変化分については、稲妻などの瞬間的な閃光によるものと判断し、無視するようにするのが望ましい。
【００４０】
ＣＰＵ９２は、記憶部１２０から前回の電源切断時に記憶した周囲照度レベルデータＩＬｏｆｆ（ＩｌｌｕｍｉｎａｎｃｅＬｅｖｅｌｏｆｆ）を読み出して取得する（Ｓ２０７）。ＣＰＵ９２は、記憶部１２０から取得した周囲照度レベルデータＩＬｏｆｆとフォトダイオード６０から提供された周囲照度レベルＩＬｏｎとを比較し、周囲照度レベルを示す調整パラメータＩＶ（ＩｌｌｕｍｉｎａｎｃｅＶａｌｕｅ）を算出する（Ｓ２０８）。
【００４１】
調整パラメータＩＶは、音声出力レベルを設定するボリューム値ＶＰｏｎを求めるための係数として用いられる。調整パラメータＩＶは、記憶部１２０から前回の電源切断時に取得した周囲照度レベルＩＬｏｆｆと、フォトダイオード６０から提供される周囲照度レベルＩＬｏｎを用いて、式（１）により算出される。
ＩＶ＝ＩＬｏｎ／ＩＬｏｆｆ  …  式（１）
【００４２】
ステップＳ２０３〜Ｓ２０４の処理とステップＳ２０５〜Ｓ２０８の処理は、並列処理される。ＣＰＵ９２は、式（２）に示すように、ステップＳ２０４で取得したボリューム値ＶＰｏｆｆに係数としての調整パラメータＩＶを乗算することによって、ボリューム値ＶＰｏｎを算出する（Ｓ２０９）。
ＶＰｏｎ＝ＶＰｏｆｆ×ＩＶ  …  式（２）
調整パラメータＩＶは、電源投入時の周囲照度レベルＩＬｏｎが電源切断時の周囲照度レベルＩＬｏｆｆよりも小さければ、調整パラメータは１より小さくなり、ボリューム値ＶＰｏｎはボリューム値ＶＰｏｆｆよりも小さくなる。また、調整パラメータＩＶは、電源投入時の周囲照度レベルＩＬｏｎが電源切断時の周囲照度レベルＩＬｏｆｆよりも大きければ、調整パラメータは１より大きくなり、ボリューム値ＶＰｏｎはボリューム値ＶＰｏｆｆよりも大きくなる。
【００４３】
ＣＰＵ９２は、式（２）によって算出したボリューム値ＶＰｏｎをボリュームコントローラ９４に供給する。ボリュームコントローラ９４は、ＣＰＵ９２から供給されたボリューム値ＶＰｏｎに基づいてボリューム２０を制御し、音源１０から供給されるデジタル音声信号の出力レベルをボリューム値ＶＰｏｎとして設定する（Ｓ２１０）。ボリューム２０における音声出力レベルの設定が完了すると、音源１０による音声出力が開始され（Ｓ２１１）、音量調整装置１による電源投入処理が終了する（Ｓ２１２）。
【００４４】
本実施形態１の電源投入処理では、電子機器の電源切断時に取得した周囲照度レベルＩＬｏｆｆと電子機器の電源投入時に取得した周囲照度レベルＩＬｏｎに基づいて、電子機器の電源切断時と電源投入時の周囲環境の変化を示す差分値を係数として用いている。よって、電子機器の電源投入時における音声出力レベルを周囲環境の変化に応じて最適化することができる。
【００４５】
図４に示すフローチャートは、ステップＳ１０２のボリューム調整処理の詳細な流れの一例を示すフローチャートである。
【００４６】
ステップＳ１０１の電源投入処理が終了した後は、ユーザーによる入力部１１０あるいはリモートコントローラ１３０からの操作指示に基づいてボリュームの調整が行われる手動調整モードに移行する。
【００４７】
音量調整装置１が手動調整モードに移行すると、ＣＰＵ９２は、ユーザーによる入力部１１０あるいはリモートコントローラ１３０からのボリューム操作指示の有無を監視する（Ｓ３０１）。ユーザーからのボリューム操作指示がない場合は（Ｓ３０１でＮｏ）、ステップＳ１０３に移行する。図２で示すステップＳ１０３と図４で示すステップＳ１０３は同じである。
【００４８】
一方、ユーザーからのボリューム操作指示を受けた場合は（Ｓ３０１でＹｅｓ）、ボリューム操作指示が、音量を増加させるアップ指示か、音量を減少させるダウン指示か、を判定する（Ｓ３０２）。ユーザーからのボリューム操作指示がアップ指示である場合、ＣＰＵ９２は、ボリュームコントローラ９４にボリューム２０の音声出力レベルを上げるように指示信号を送出する。この時、ユーザーにより指示された設定値も併せて送出する。ボリュームコントローラ９４は、ＣＰＵ９２からの指示信号に応じて、ボリューム２０の音声出力レベルを指示されたボリューム値となるように制御する（Ｓ３０３）。その後、
ＣＰＵ９２は、ボリュームコントローラ９４に送出した設定値をボリューム値ＶＰとして記憶部１２０に記憶する（Ｓ３０４）。
【００４９】
ステップ３０２で、ユーザーからのボリューム操作指示がダウン指示である場合、ＣＰＵ９２は、ボリュームコントローラ９４にボリューム２０の音声出力レベルを下げるように指示信号を送出する。この時、ユーザーにより指示された設定値も併せて送出する。ボリュームコントローラ９４は、ＣＰＵ９２からの指示信号に応じて、ボリューム２０の音声出力レベルを指示されたボリューム値となるように制御する（Ｓ３０５）。その後、ＣＰＵ９２は、ボリュームコントローラ９４に送出した設定値をボリューム値ＶＰとして記憶部１２０に記憶する（Ｓ３０４）。
【００５０】
ステップＳ３０１〜Ｓ３０５は、ステップＳ１０３で電源切断指示を受けるまで繰り返される。
【００５１】
図５に示すフローチャートは、ステップＳ１０４の電源切断処理の詳細な流れの一例を示すフローチャートである。
【００５２】
ステップＳ１０３において、ＣＰＵ９２が入力部１１０あるいはリモートコントローラ１３０の操作を介してユーザーからの電子機器の電源切断指示を受付けると（Ｓ１０３でＹｅｓ）、ＣＰＵ９２は、電子機器の電源切断処理を開始する（Ｓ４０１）。
【００５３】
ステップＳ４０１で電源切断処理が開始されると、ＣＰＵ９２において周囲照度レベルの判定処理が開始される（Ｓ４０２）。周囲照度レベル判定処理とは、ＡＤＣ８０から供給される周囲照度レベル信号から電子機器の周囲の照度レベルを取得する処理である。
【００５４】
周囲照度レベル判定処理が開始されると、フォトダイオード６０により検出される周囲照度が周囲照度信号として増幅器７０とＡＤＣ８０を介してＣＰＵ９２に入力される。
【００５５】
ＣＰＵ９２は、ＡＤＣ８０から入力される周囲照度信号から電子機器の周囲の照度レベルを示す周囲照度レベルＩＬｏｆｆを取得する（Ｓ４０３）。ＣＰＵ９２は、電子機器の電源切断時に、フォトダイオード６０が検出する周囲照度を周囲照度レベルとして取得してもよい。また、ＣＰＵ９２は、電子機器の電源投入時から所定時間に検出される周囲照度の平均レベルを周囲照度レベルとして取得してもよい。この場合、所定時間内に発生する一時的な周囲照度レベルの急激な変化分については、稲妻などの瞬間的な閃光によるものと判断し、無視するようにするのが望ましい。
【００５６】
ＣＰＵ９２は、周囲照度レベルＩＬｏｆｆを取得すると、周囲照度レベルＩＬｏｆｆを周囲照度レベルデータとして記憶部１２０に記憶する（Ｓ４０４）。また、ボリューム２０に設定されている音声出力レベルをボリューム値ＶＰｏｆｆとして記憶部１２０に記憶し（Ｓ４０５）、音源１０からの音声出力を停止する（Ｓ４０６）。
【００５７】
音源１０からの音声出力の停止後あるいは音声出力の停止と同時に、電子機器の電源を切断し、電源切断処理を終了する（Ｓ４０７）。
【００５８】
本実施形態１の電源切断処理では、電子機器の周囲の照度レベルを検出し、次回の電源投入時に音声出力レベルを調整するための調整パラメータとして記憶する。よって、電子機器の電源投入時に、電源切断時に記憶した調整パラメータを用いることで、電子機器の電源切断時と電源投入時の周囲環境の変化に応じた音声出力レベルを設定することができる。
【００５９】
以上、本実施形態１に係る音量調整装置では、電子機器の電源投入時における電子機器の周囲照度だけでなく、電子機器の電源切断時における電子機器の周囲照度も考慮して、電源投入時に電子機器から出力される音声信号の出力レベルを調整することができる。よって、電子機器の電源切断時と電源投入時の周囲環境の変化に対応させることができ、電子機器の電源投入時における音声出力レベルを周囲環境に応じて最適化することができる。また、電子機器の電源投入時にスピーカから不必要な大音量で音声が出力される、スピーカから出力される音声が聞こえない、などといった不具合を解消することができる。
【００６０】
［実施形態１の変形例］
図６と図７を参照しながら、実施形態１の変形例に係る音量調整装置１における電源投入処理について説明する。
【００６１】
図６と図７に示すフローチャートは、図２に示すフローチャートにおけるステップＳ１０１の電源投入処理の詳細な流れの一例を示すフローチャートである。ステップＳ５０１乃至ステップＳ５０９の処理では、図３に示すフローチャートのステップＳ２０１乃至ステップＳ２０９と同様の処理を行う。また、ステップＳ５１２とステップＳ５１３の処理では、図３に示すフローチャートのステップＳ２１０とステップＳ２１１と同様の処理を行う。
【００６２】
電子機器の電源投入時において、スピーカ５０から出力される音声の出力レベルは、式（２）によって算出されるボリューム値ＶＰｏｎに基づいて自動的に設定される。しかし、自動的に設定されるボリューム値ＶＰｏｎがユーザーの好みの音声出力レベルと一致しない場合がある。この場合、ユーザーが入力部１１０やリモートコントローラ１３０を操作して、ボリューム値を好みの音声出力レベルに変更する可能性が高い。よって、音量調整装置１Ａにおける電源投入処理では、音源１０の音声出力が開始されてから所定時間内にユーザーにより設定変更されたボリューム値の変更量を補正パラメータＶＣ（ＶｏｌｕｍｅＣｈａｎｇｅ）として記憶部１２０に記憶しておき、ボリューム値ＶＰｏｎに加算する。
【００６３】
ステップＳ５０９で式（２）によりボリューム値ＶＰｏｎが算出されると、記憶部１２０に補正パラメータＶＣが記憶されているかを確認する（Ｓ５１０）。記憶部１２０に補正パラメータＶＣが記憶されている場合（ステップＳ５１０でＹｅｓ）、ステップＳ５０９で算出したボリューム値ＶＰｏｎに補正パラメータＶＣを加算する（Ｓ５１１）。すなわち、ステップＳ５１１において、ボリューム値ＶＰｏｎは、式（３）により算出されることになる。
ＶＰｏｎ＝ＶＰｏｆｆ×ＩＶ＋ＶＣ  …  式（３）
【００６４】
一方、記憶部１２０に補正パラメータＶＣが記憶されていない場合（ステップＳ５１０でＮｏ）、ステップＳ５１１をスキップし、ステップＳ５１２に移行する。
【００６５】
ＣＰＵ９２は、ステップＳ５０９で算出したボリューム値ＶＰｏｎまたはステップＳ１１で算出したボリューム値ＶＰｏｎをボリュームコントローラ９４に供給する。
【００６６】
ステップＳ５１３で音源１０による音声出力が開始されると、音量調整装置１Ａは、音声出力の開始から所定時間内における音声出力レベルの変化を監視する監視モードに移行する。ＣＰＵ９２は、ユーザーによる入力部１１０あるいはリモートコントローラ１３０からのボリューム操作指示の有無を監視する（Ｓ５１４）。ユーザーからのボリューム操作指示がない場合は（Ｓ５１４でＮｏ）、ステップＳ５１９に移行する。
【００６７】
一方、ユーザーからのボリューム操作指示を受けた場合は（Ｓ５１４でＹｅｓ）、ボリューム操作指示が、音量を増加させるアップ指示か、音量を減少させるダウン指示か、を判定する（Ｓ５１５）。ユーザーからのボリューム操作指示がアップ指示である場合、ＣＰＵ９２は、ボリュームコントローラ９４にボリューム２０の音声出力レベルを上げるように指示信号を送出する。この時、ユーザーにより指示されたボリューム値ＶＰ（ＶｏｌｕｍｅＰｏｗｅｒ）も併せて送出する。ボリュームコントローラ９４は、ＣＰＵ９２からの指示信号に応じて、ボリューム２０の音声出力レベルを指示されたボリューム値ＶＰとなるように制御する（Ｓ５１６）。その後、ＣＰＵ９２は、ステップ５１２で設定されたボリューム値ＶＰｏｎとボリュームコントローラ９４に送出したボリューム値ＶＰとの差分をボリューム値の変化量として記憶部１２０に記憶し（Ｓ５１８）、ステップＳ５１９に移行する。
【００６８】
ステップ５１５において、ユーザーからのボリューム操作指示がダウン指示である場合、ＣＰＵ９２は、ボリュームコントローラ９４にボリューム２０の音声出力レベルを下げるように指示信号を送出する。この時、ユーザーにより指示されたボリューム値ＶＰも併せて送出する。ボリュームコントローラ９４は、ＣＰＵ９２からの指示信号に応じて、ボリューム２０の音声出力レベルを指示されたボリューム値ＶＰとなるように制御する（Ｓ５１７）。その後、ＣＰＵ９２は、ステップ５１２で設定されたボリューム値ＶＰｏｎとボリュームコントローラ９４に送出したボリューム値ＶＰとの差分をボリューム値の変化量として記憶部１２０に記憶し（Ｓ５１８）し、ステップＳ５１９に移行する。
【００６９】
ステップＳ５１９では、音源１０による音声出力が開始されてから所定時間が経過したかを確認する（Ｓ５１９）。所定時間が経過していないと判定された場合（ステップＳ５１９でＮｏ）、ステップＳ５１４に移行し、ステップＳ５１４〜Ｓ５１９の処理を繰り返す。記憶部１２０に記憶されるボリューム値の変化量は、ステップ５１２で設定されたボリューム値ＶＰｏｎを基準とし、ボリューム値ＶＰｏｎからの変化量として情報が更新される。
【００７０】
ステップＳ５１９において所定時間が経過したと判定された場合（ステップＳ５１９でＹｅｓ）、記憶部１２０に記憶されているボリューム値の変化量（最終更新値）を補正パラメータＶＣとして記憶部１２０に記憶し、電源投入処理を終了する（Ｓ５２０）。
【００７１】
補正パラメータＶＣは、電源切断時の周囲照度レベルＩＬｏｆｆと電源投入時の周囲照度レベルＩＬｏｎ、およびユーザーによって指示されたボリューム値ＶＰとの関係を記憶部１２０においてテーブル化しながら学習し、調整パラメータＩＶと融合させた係数としてボリューム値ＶＰｏｆｆと演算できるようにしてもよい。
【００７２】
本実施形態１の変形例に係る電源投入処理では、電子機器の電源投入時に、電源切断時に記憶した調整パラメータを用いるだけでなく、音声出力の開始から所定時間内におけるユーザーにより設定されるボリューム値を、次回の電源投入時の補正パラメータとして用いている。よって、電子機器の電源切断時と電源投入時の周囲環境の変化に応じた、ユーザー好みの音声出力レベルを設定することができる。
【００７３】
以上、本実施形態１の変形例に係る音量調整装置では、電子機器の電源投入時と電源切断時における電子機器の周囲照度の変化およびユーザー好みの音声出力レベルを考慮して、電源投入時に電子機器から出力される音声信号の出力レベルを調整することができる。よって、電子機器の電源切断時と電源投入時の周囲環境の変化に対応させることができ、電子機器の電源投入時における音声出力レベルを周囲環境とユーザー好みに応じて最適化することができる。また、電子機器の電源投入時に、ユーザーにとって不快な音量で音声が出力されるといった不具合を解消することができる。
【００７４】
［実施形態２］  
図８乃至図１１を参照しながら、実施形態２に係る音量調整装置１Ａについて説明する。
図８は、本実施形態２に係る音量調整装置１Ａの概略的な構成例を示すブロック図である。
【００７５】
音量調整装置１Ａは、基本的な構成は実施形態１の音量調整装置１と同じである。以下の説明においては、音量調整装置１と同様の構成要素には、同一の符号または対応する符号を付し、その詳細な説明は省略する。音量調整装置１Ａは、時刻情報取得部２００を備える点と、ＣＰＵ９２におけるボリューム値ＶＰｏｎの演算処理が実施形態１と異なる。
【００７６】
時刻情報取得部２００は、電子機器に内蔵されている時計から電子機器の電源投入時および電源切断時の時刻情報を取り込み、ＣＰＵ９２に供給する。時刻情報は、インターネットや無線通信を介して取得してもよい。また、ＣＰＵ９２は、電子機器の電源切断時の時刻情報を記憶部１２０に記憶する。
【００７７】
次に、図９と図１０を用いて、音量調整装置１Ａにおける電源投入処理について説明する。図９と図１０に示すフローチャートは、図２に示すフローチャートにおけるステップＳ１０１の電源投入処理の詳細な流れの一例を示すフローチャートである。ステップＳ６０１乃至ステップＳ６０８の処理では、図３に示すフローチャートのステップＳ２０１乃至ステップＳ２０８と同様の処理を行う。また、ステップＳ６１３乃至ステップＳ６１６の処理では、図３に示すフローチャートのステップＳ２０９乃至ステップＳ２１２と同様の処理を行う。
【００７８】
ステップＳ６０８において、式（１）を用いて調整パラメータＩＶが算出されると、ＣＰＵ９２は、式（２）を用いてボリューム値ＶＰｏｎを算出する（Ｓ６０９）。ここで、ＣＰＵ９２は、ボリューム値ＶＰｏｎとボリューム値ＶＰｏｆｆを比較し、ボリューム値ＶＰｏｎとボリューム値ＶＰｏｆｆが等しいかを判定する（Ｓ６１０）。ステップＳ６１０では、ボリューム値ＶＰｏｎとボリューム値ＶＰｏｆｆが完全一致ではなく、近似範囲を等しいと判定してもよい。
【００７９】
ステップＳ６１０でボリューム値ＶＰｏｎとボリューム値ＶＰｏｆｆが等しくないと判定された場合は、ステップＳ６０９で算出したボリューム値ＶＰｏｎを確定する（Ｓ６１３）。ステップＳ６１０でボリューム値ＶＰｏｎとボリューム値ＶＰｏｆｆが等しいと判定された場合は、記憶部１２０から前回の電源切断時刻を読み出し、電源投入時刻と比較する（Ｓ６１１）。
【００８０】
調整パラメータＩＶは、式（１）を用いて算出されるが、電子機器の電源切断時および電源投入時の周囲環境によっては、調整パラメータＩＶが１あるいは１の近似値となる場合がある。例えば、電子機器の周囲照度は、屋内照明器具の点燈状態や屋外の天候などによって大きく左右される。特に昼間の時間帯は、同じ時刻であっても、天候が雨の日と晴れの日とでは、電子機器の周囲照度がまったく異なる。よって、天候が雨や曇りだった場合、終日、周囲照度に大きな変化が起こらず、調整パラメータＩＶが１あるいは１の近似値となる場合があり得る。また、雨戸やカーテンなどによって外光を遮蔽している場合、昼間の時間帯であっても電子機器の周囲照度が夜間のようになる場合があり得る。このような場合、調整パラメータＩＶは無効係数となるため、式（２）を用いてボリューム値ＶＰｏｎを算出すると、ボリューム値ＶＰｏｎとボリューム値ＶＰｏｆｆは実質的に等しくなる。電源切断時刻と電源投入時刻が同じ時間帯に属していれば大きな問題になることは少ない。しかし、電源切断時刻と電源投入時刻が異なる時間帯に属しており、調整パラメータＩＶが実質的に無効係数となる場合は、例えば、深夜に想定外の大音量で出力される可能性がある。逆にまったく聞き取れない音量で出力される可能性もある。
【００８１】
そこで、本実施形態２では、ボリューム値ＶＰｏｎとボリューム値ＶＰｏｆｆが等しい場合、ステップＳ６１１で前回の電源切断時刻と電源投入時刻とを比較し、調整パラメータとして時刻情報に基づく調整係数ＴＶ（ＴｉｍｅＶａｌｕｅ）を算出する（Ｓ６１２）。
【００８２】
時刻情報に基づく調整係数ＴＶの算出方法について、図１１を参照して説明する。図１１に示す参照テーブルは、一例であり、これに限定されるものではない。
【００８３】
本実施形態２では、０時〜２４時の時刻を、０時〜６時、６時〜９時、９時〜１５時、１５時〜１９時、１９時〜２４時、の５つの時間帯に分け、各時間帯に重み付けの係数を設定している。本実施形態２では、０時〜６時を深夜帯として係数１を設定し、これを基準に重み付けを行っている。６時〜９時の時間帯は、出勤や登校でやや騒がしくなることから係数１．２を設定している。９時〜１５時の時間帯は、日中の騒がしい時間帯となることから係数１．６を設定している。１５時〜１６時の時間帯は、下校時間や通勤時間が含まれるため、１日で最も騒がしい時間帯となることから係数１．８を設定している。１９時〜２４時は夜間帯であることから係数１．４を設定している。時間帯の振り分けや重み付け係数の振り分けは、電子機器が設置される周囲環境によって最適化する必要があるため、一義的に決められるものではなく、適宜、変更することができるものである。
【００８４】
調整係数ＴＶは、電源切断時刻の係数をＴＶｏｆｆ、電源投入時刻の係数をＴＶｏｎとした場合、式（４）によって算出される。
ＴＶ＝ＴＶｏｎ／ＴＶｏｆｆ  …  式（４）
【００８５】
図１１の参照テーブルを用いて具体的に説明する。例えば、電子機器の電源切断時刻が２２時５０分であった場合、電源切断時刻は１９時〜２４時の時間帯に属するため、係数ＴＶｏｆｆは１．４に設定される。また、電子器の電源投入時刻が７時１０分であった場合、電源投入時刻は６時〜９時の時間帯に属するため、係数ＴＶｏｎは１．２に設定される。よって、この場合の調整係数ＴＶは、式（４）により、ＴＶ＝１．２／１．４＝０．８６、に設定されることになる。
【００８６】
別の例として、電子機器の電源切断時刻が９時４５分であった場合、電源切断時刻は９時〜１５時の時間帯に属するため、係数ＴＶｏｆｆは１．６に設定される。また、電子器の電源投入時刻が三日後の１７時２０分であった場合、電源投入時刻は１５時〜１９時の時間帯に属するため、係数ＴＶｏｎは１．８に設定される。よって、この場合の調整係数ＴＶは、式（４）により、ＴＶ＝１．８／１．６＝１．１３、に設定されることになる。この例の場合、電源切断時から次の電源投入時まで数日が経過しているが、時刻情報の比較ができれば調整係数が求まるため、電源切断時から次の電源投入時までの経過日数については考慮する必要はない。
【００８７】
また、電源切断時刻と電源投入時刻が同じ時間帯に属する場合は、調整係数は１となるため、無効係数となり、ボリューム値ＶＰｏｎとボリューム値ＶＰｏｆｆは等しいままとなる。
【００８８】
以上のように、本実施形態に３においては、ステップＳ６１０においてボリューム値ＶＰｏｎとボリューム値ＶＰｏｆｆが等しいと判定された場合は、電子機器の電源投入時におけるボリューム値ＶＰｏｎは、式（５）により算出される（Ｓ６１３）。
ＶＰｏｎ＝ＶＰｏｆｆ×ＩＶ×ＴＶ  …  式（５）
【００８９】
なお、本実施形態２に係る音量調整装置１Ａでは、電源切断時の時刻情報と電源投入時の時刻情報に基づいて調整係数ＴＶを算出しているが、電源投入時刻のみの係数を用いて調整係数ＴＶを設定してもよい。
【００９０】
以上、本実施形態２に係る音量調整装置では、電子機器の電源切断時と電源投入時における電子機器の周囲照度だけでなく、電子機器の電源切断時と電源投入時の時刻も考慮して、電源投入時に電子機器から出力される音声信号の出力レベルを調整することができる。よって、電子機器の電源切断時と電源投入時の周囲環境の変化により精度よく対応させることができ、電子機器の電源投入時における音声出力レベルを周囲照度および周囲環境に応じて最適化することができる。特に、時刻情報を調整パラメータに用いることにより、天候による周囲照度変化や、雨戸やカーテンなどによる外光遮蔽による周囲照度変化にも対応することができる。また、電子機器の電源投入時にスピーカから想定外の大音量で音声が出力される、スピーカから出力される音声が聞き取れない、などといった不具合を解消することができる。
【００９１】
以上、本発明の実施形態として２つの実施形態と１つの変形例を説明したが、これらの実施形態は、例として提示したものであり、発明穂範囲を限定することを意図していない。
【００９２】
図示した音量調整装置の各構成要素は、機能概念的なものであり、必ずしも物理的に図示の如く構成されていなくてもよい。すなわち、各構成要素の具体的な形態は、図示のものに限られず、各構成要素の処理負担や使用状況などに応じて、その全部または一部を任意の単位で機能的または物理的に分散または統合してもよい。
【００９３】
音量調整装置の構成の全部または一部は、例えば、ソフトウェアとして、メモリにロードされたプログラムなどによって実現可能である。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【００９４】
上記した構成要素には、当業者が容易に想定できるもの、実質的に同一のものを含む。さらに、上記した構成は適宜組み合わせが可能である。また、本発明の要旨を逸脱しない範囲において構成の種々の省略、置換または変更が可能である。
【符号の説明】
【００９５】
１、１Ａ  音量調整装置
１０      音源
２０      ボリューム
３０      ＤＡＣ
４０      パワーアンプ
５０      スピーカ
６０      フォトダイオード
７０      増幅器
８０      ＡＤＣ
９０      音声出力レベル調整部
９２      ＣＰＵ
９４      ボリュームコントローラ
１１０    入力部
１２０    記憶部
１３０    リモートコントローラ
２００    時刻情報取得部
【図１】
2020123766.tif 000003
【図２】
2020123766.tif 000004
【図３】
2020123766.tif 000005
【図４】
2020123766.tif 000006
【図５】
2020123766.tif 000007
【図６】
2020123766.tif 000008
【図７】
2020123766.tif 000009
【図８】
2020123766.tif 000010
【図９】
2020123766.tif 000011
【図１０】
2020123766.tif 000012
【図１１】
2020123766.tif 000013